(57)【特許請求の範囲】
【請求項１】
布線板上に設けられる支持部材と、前記布線板上に起立する起立状態と該起立状態から傾倒する傾倒状態に変位自在に前記支持部材によって支持されたピン部材と、を有する複数の電線係止部材を、複数の電線を収束させる布線板上の収束位置に設けて、前記布線板上に布線する複数の電線を前記収束位置に収束する電線収束方法において、
前記電線係止部材のピン部材の各々が傾倒状態のときに、前記電線係止部材の上方に前記複数の電線を配索し、その後、前記電線係止部材のピン部材の各々を起立状態に切り替えることで、複数のピン部材によって前記複数の電線を前記収束位置で収束して挟持することを特徴とする電線収束方法。
【請求項２】
前記起立状態のピン部材の全て若しくは一部を前記傾倒状態に切り替えて、前記収束された複数の電線を取り出すことを特徴とする請求項１に記載の電線収束方法。
【請求項３】
前記収束位置が、前記複数の電線の分岐位置であり、前記電線係止部材の起立状態のピン部材によって前記複数の電線を分岐させた状態で収束して挟持することを特徴とする請求項１又は２に記載の電線収束方法。
【請求項４】
請求項１〜３の何れか１項に記載の電線収束方法に用いるための布線治具であって、
前記布線板と、
前記起立状態のピン部材の各々によって前記複数の電線を挟持するように、前記布線板上の前記収束位置に設けられた前記複数の電線係止部材と、を有することを特徴とする布線治具。
【発明の詳細な説明】
【技術分野】
【０００１】
本発明は、布線板上に布線する複数の電線を収束位置に収束する電線収束方法、及び、該電線収束方法に用いるための布線治具に関するものである。
【背景技術】
【０００２】
移動体としての自動車などには、種々の電子機器が搭載される。このため、前記自動車などは、前記電子機器に電源などからの電力やコンピュータなどからの制御信号などを伝えるために、ワイヤハーネスを配索している。ワイヤハーネスは、複数のサブワイヤハーネスを備えている。サブワイヤハーネスは、前述した自動車に搭載される系統（システム）毎に設けられている。各サブワイヤハーネスは、複数の電線と、該電線の端部などに取り付けられたコネクタなどを備えている。
【０００３】
電線は、導電性の芯線と該芯線を被覆する絶縁性の合成樹脂からなる被覆部とを備えている。電線は、所謂被覆電線である。コネクタは、端子金具と、この端子金具を収容するコネクタハウジングと、を備えている。端子金具は、導電性の板金などからなり、電線の端部に取り付けられてこの電線の芯線と電気的に接続する。コネクタハウジングは、絶縁性の合成樹脂からなり箱状に形成されている。ワイヤハーネスは、コネクタハウジングが前述した電子機器などと結合することにより、端子金具を介して各電線が前述した電子機器と電気的に接続して、前述した電子機器に所望の電力や信号を伝える。
【０００４】
前記ワイヤハーネスを組み立てる際には、切断装置でまず電線を所望の長さに切断した後、該電線の端部などの被覆部を除去（皮むき）して端子金具を取り付ける。その後、端子金具をコネクタハウジング内に挿入する。こうして、一旦、前述したサブワイヤハーネスを組み立てる。そして、組み立てられたサブワイヤハーネスを互いに組み付け、所定箇所にグロメットやプロテクタなどの外装品を取り付けて、ワイヤハーネスを組み立てる。
【０００５】
ワイヤハーネスの組み付け作業には、周知である布線板を用いている。この布線板上には、ワイヤハーネスの最終形態を示す布線平面形に対応した布線経路に沿わせるように、例えば、Ｕ字形などの多種多様な形状の電線掛け具を立設しており、それらの電線掛け具の各々に複数の電線を掛けるように引掛け布線配索される。そして、これを束ねる為に分岐部などにテープを巻き、治具より取り外すことで所望のワイヤハーネスが得られる。
【０００６】
また、上述した電線掛け具を用いてテープ巻き作業や外装部品の取り付け作業を効率よく行うための電線掛け具が開示されている。この電線掛け具は、支軸の先端部に設けられた保持部が、各電線の保持位置に突出した突出姿勢からその保持位置から退避することを可能とするように構成されている（特許文献１参照）。
【特許文献１】特開２００４−７９４１２号公報
【発明の開示】
【発明が解決しようとする課題】
【０００７】
しかしながら、上述した電線掛け具をワイヤハーネスの分岐形成に用いる場合、複数の電線を良好な収束状態で分岐させるには、その布線板上における分岐位置の近傍に電線掛け具を設ける必要があり、複数の方向へ分岐させる電線はテンション状態にあるため、それらの電線を電線掛け具に引っかける作業は困難であった。
【０００８】
よって本発明は、上述した問題点に鑑み、電線の布線作業を容易とすることができる電線収束方法及び布線治具を提供することを課題としている。
【課題を解決するための手段】
【０００９】
上記課題を解決するため本発明によりなされた請求項１載の電線収束方法は、布線板上に設けられる支持部材と、前記布線板上に起立する起立状態と該起立状態から傾倒する傾倒状態に変位自在に前記支持部材によって支持されたピン部材と、を有する複数の電線係止部材を、複数の電線を収束させる布線板上の収束位置に設けて、前記布線板上に布線する複数の電線を前記収束位置に収束する電線収束方法において、前記電線係止部材のピン部材の各々が傾倒状態のときに、前記電線係止部材の上方に前記複数の電線を配索し、その後、前記電線係止部材のピン部材の各々を起立状態に切り替えることで、複数のピン部材によって前記複数の電線を前記収束位置で収束して挟持することを特徴とする。
【００１０】
上記請求項１記載した本発明の電線収束方法によれば、布線板上に設けられた電線係止部材のピン部材が傾倒状態のときに、その電線係止部材の上方に複数の電線が配索され、そして、ピン部材の各々を起立状態に切り替えることで、複数のピンによって複数の電線が収束位置に収束されて挟持される。このため、電線を電線係止部材上に配索してピン部材を起立させるだけで、複数の電線を収束位置に収束して挟持することができる。
【００１１】
請求項２載の発明は、請求項１記載の電線収束方法において、前記起立状態のピン部材の全て若しくは一部を前記傾倒状態に切り替えて、前記収束された複数の電線を取り出すことを特徴とする。
【００１２】
上記請求項２記載した本発明の電線収束方法によれば、起立状態で収束された複数の電線を挟持している起立状態のピン部材の一部若しくは全てが傾倒状態に切り替えられることで、収束された複数の電線が取り外される。
【００１３】
請求項３載の発明は、請求項１又は２に記載の電線収束方法において、前記収束位置が、前記複数の電線の分岐位置であり、前記布線治具の起立状態のピン部材によって前記複数の電線を分岐させた状態で収束して挟持することを特徴とする。
【００１４】
上記請求項３に記載した本発明の電線収束方法によれば、起立状態に切り替えられたピン部材によって電線は分岐された状態で収束されて挟持されるため、傾倒状態の電線係止部材に対して布線経路となるように電線を配索しておくことで、ピン部材の起立状態への切り替えに応じて電線を分岐された状態に収束することができる。
【００１５】
上記課題を解決するため本発明によりなされた請求項４記載の布線治具は、請求項１〜３の何れか１項に記載の電線収束方法に用いるための布線治具であって、前記布線板と、前記起立状態のピン部材の各々によって前記複数の電線を挟持するように、前記布線板上の前記収束位置に設けられた前記複数の電線係止部材と、を有することを特徴とする。
【００１６】
上記請求項４に記載した本発明の布線治具によれば、起立状態となったときに複数のピン部材によって電線を挟持するように、電線係止部材を布線板上の前記収束位置に設けているので、傾倒状態のピン部材の上方に電線を配索してピン部材を起立状態に切り替えることで、布線する電線を布線治具で挟持することができる。
【発明の効果】
【００１７】
以上説明したように請求項１に記載した本発明の電線収束方法によれば、布線板上に設けられた電線係止部材のピン部材が傾倒状態のときに、その電線係止部材の上方に複数の電線が配索され、そして、ピン部材の各々が起立状態に切り替えられることで、複数のピン部材によって複数の電線が収束位置に収束されて挟持されるため、電線を電線係止部材上に配索してピン部材を起立させるだけで、複数の電線を収束位置に収束して挟持することができる。従って、電線を布線する際に治具に対する電線の引っかけ作業が不要となるため、布線作業を簡単化することができるとともに、複数の電線を容易に収束することができる。また、電線を治具に引っかけた状態での布線作業を減少させることができるため、布線作業の効率化を図ることができる。さらに、電線を介して付加によりピン部材は傾倒状態となるようにすれば、電線がピン部材に係止していても、電線と電線係止部材との不要な干渉を防止することができる。
【００１８】
請求項２に記載の発明によれば、請求項１に記載の発明の効果に加え、起立状態で収束された複数の電線を挟持している起立状態のピン部材の一部若しくは全てが傾倒状態に切り替えられることで、収束された複数の電線を容易に取り外すことができるため、作業の効率化を図ることができる。
【００１９】
請求項３に記載の発明によれば、請求項１又は２に記載の発明の効果に加え、起立状態に切り替えられたピン部材によって電線を分岐した状態で収束して挟持するため、傾倒状態の電線係止部材に対して布線経路となるように電線を配索しておくことで、ピン部材を起立状態に切り替えるだけで、複数の電線に対する収束と分岐を同時に行うことができるため、布線作業のより一層の効率化を図ることができる。
【００２０】
以上説明したように請求項４に記載した本発明の布線治具によれば、起立状態となったときに複数のピン部材によって電線を挟持するように、電線係止部材を布線板上の前記収束位置に設けているので、傾倒状態のピン部材の上方に電線を配索してピン部材を起立状態に切り替えることで、布線する電線を電線係止部材で挟持することができる。従って、電線を布線する際に治具に対する電線の引っかけ作業が不要となるため、布線作業を簡単化することができる。また、電線を治具に引っかけた状態での布線作業を減少させることができるため、布線作業の効率化を図ることができる。さらに、電線を介して付加によりピン部材は傾倒状態となるようにすれば、電線がピン部材に係止していても、電線と布線治具との不要な干渉を防止することができる。
【発明を実施するための最良の形態】
【００２１】
次に、本発明に係る布線治具を布線板に用いる場合の一例を示す最良の形態を、図１〜図４の図面を参照して説明する。
【００２２】
なお、図１は本発明の布線治具の構成例を示す拡大斜視図である。図２は図１に示す布線治具の動作を説明する説明図であり、（ａ）はピン部材の傾倒状態、（ｂ）ピン部材の起立状態をそれぞれ示している。図３はピン部材の起立状態を説明するための断面拡大模式図である。図４は布線治具に複数の電線を配索した一例を説明するための説明図である。
【００２３】
図１に示すように、布線治具１０は、周知である布線板１を有しており、周知である電線３の布線に用いられる。布線治具１０は、布線板１上に設けられた支持部材１１と、布線板１上に起立する起立状態と該起立状態から傾倒する傾倒状態とに変位自在に支持部材１１によって支持されたピン部材１２と、を有する電線係止部材１３Ａ〜Ｄを複数（図１例では４本）備えている。
【００２４】
支持部材１１は、布線板１に固定する固定部１１ａと、該固定部１１ａから立設してピン部材１２に係止する係止片１１ｂと、を有しており、固定部１１ａと係止片１１ｂとは、板状の金属部材を曲げ加工、プレス加工等によって形成している。固定部１１ａは、布線板１に対面する面に凸部１１ｃ（図２参照）を有しており、この凸部１１ｃを図示しない布線板１に設けられた貫通孔に貫通されて固定されることで、電線係止部材１３Ａ〜Ｄの各々は布線板１に固定される。
【００２５】
係止片１１ｂの各々は、相対する位置に軸穴１１ｄが設けられており、該軸穴１１ｄの各々にピン部材１２の両側面に設けられた棒状の軸部材１４の各々を回転自在に貫通させることで、図２（ａ）に示す傾倒状態から図２（ｂ）に示す起立状態に回動自在に支持している。
【００２６】
ピン部材１２は、金属部材によって円柱棒状に形成しており、その長さは、電線３を布線する際の布線板１の表面から電線３までの距離（高さ）よりも長くなるように設定されている。なお、ピン部材１２は、金属製に限定するものではなく、電線３の引っかけ等に対応できれば、合成樹脂等で形成したり、金属部材と合成樹脂を複合させて形成こともできる。また、ピン部材１２の長さを伸縮自在に形成すれば、種々異なる製品に容易に対応することができる。
【００２７】
ピン部材１２には、ピン部材１２の内部から表面に亘る穴部１２ｂを形成しており、該穴部１２ｂにはボールプランジャ１４が設けられる。該ボールプランジャ１４は、常時、係止片１１ｂに向かって付勢されている。また、ピン部材１２が布線板１上に起立する起立状態となる、係止片１１ｂのピン部材１２と対向する内面には、ボールプランジャ１４に対応した穴を形成している。
【００２８】
このような構成とすることで、ピン部材１２が起立状態となったときに、ボールプランジャ１４が係止片１１ｂの凹部１１ｅに嵌め込まれることで、図２（ｂ）に示す起立状態となるピン部材１２の起立位置に位置決めされるとともに、ピン部材１２の起立状態を維持するようにしている。また、傾倒状態については、ピン部材１２の先端が布線板１の表面に当接するまで支持部材によって回動させても良いし、起立状態と同様に、傾倒状態に対応した係止片１１ｂの前記当接面に穴を形成するようにしても良い。
【００２９】
さらに、ボールプランジャ１４と凹部１１ｅによってピン部材１２を位置決めするようにしたことから、起立状態のときに電線３を介してピン部材１２に所定量以上の力が傾倒方向等に加えられない限り、ピン部材１２は傾倒状態に切り替わらないため、電線３の布線作業中にピン部材１２が倒れることを防止することができる。また、起立状態を維持する機構として、作業者の操作によってロックが解除されるロック機構等を用いるようにすれば、ピン部材１２の起立状態をより一層確実に保持することができる。
【００３０】
また、本最良の形態では、起立状態を布線板１にほぼ垂直に交わる場合について説明するが、本発明はこれに限定するものではなく、布線板１に対して斜めとなるように起立させるなど種々異なる形態とすることができる。
【００３１】
また、上述した構成の電線係止部材１３Ａ〜Ｄの各々は、起立状態のピン部材１２の各々によって前記電線３を挟持するように、布線板１上に設けられる。本最良の形態では、図１に示すように、複数の電線３を分岐させて収束させる布線板１上の収束位置に設けている。なお、収束位置とは、ワイヤハーネス等の最終形態を示す布線平面形に対応した布線経路上において、複数の電線３を収束させて分岐させる分岐位置としている。
【００３２】
本最良の形態では、電線係止部材１３Ａ〜Ｄによって複数の電線３を三又に分岐させるために、４つの電線係止部材１３Ａ〜Ｄを布線平面形状における分岐位置を中心として略十字状に配置している。そして、電線係止部材１３Ａ〜Ｄ間の距離は、複数の電線３を収束させたときの電線群（束）の直径等に応じて設定されている。このように、電線係止部材１３Ａ〜Ｄの配置は、収束位置における電線形状等に応じて異なるものであり、例えば、複数の電線３を挟持する場合は２つの電線係止部材を配置することになり、分岐させる場合はその分岐数に応じた個数の電線係止部材を配置することになる。
【００３３】
次に、布線治具１０の電線係止部材１３Ａ，Ｂを用いて電線を収束して挟持する場合の一例を、図２の図面を参照して説明する。なお、電線係止部材１３Ａ，Ｃ、電線係止部材１３Ｃ，Ｄ、電線係止部材１３Ｂ，Ｄの各々についても、基本動作は同一であるので、説明は省略する。
【００３４】
図２（ａ）に示すように、一対の電線係止部材１３Ａ，Ｂの各々のピン部材１２が傾倒状態において、その一対の電線係止部材１３Ａ，Ｂ上に複数の電線３が配索され、その後、矢印Ａ方向にピン部材１２の各々が移動されて、図２（ｂ）に示す起立状態に切り替えられることにより、一対のピン部材１２によって複数の電線３が、電線係止部材１３Ａ，Ｂの間に収束されて電線群３０として挟持される。そして、電線群３０に対するテープ巻き等の作業が終了してワイヤハーネスが完成すると、ピン部材１２の各々が傾倒状態に切り替えられることにより取り外される。
【００３５】
以上説明した布線治具１０によれば、起立状態となったときに複数のピン部材１２によって複数の電線３を挟持するように、電線係止部材１３を布線板１上に設けているので、傾倒状態のピン部材１２の上方に電線３を配索してピン部材１２を起立状態に切り替えることで、布線する電線３を布線治具１０で挟持することができる。従って、電線３を布線する際に治具に対する電線３の引っかけ作業が不要となるため、布線作業を簡単化することができる。また、電線３を治具に引っかけた状態での布線作業を減少させることができるため、布線作業の効率化を図ることができる。さらに、電線３を介して付加によりピン部材１２は傾倒状態となるので、電線３をピン部材１２に係止していても、電線３と布線治具１０との不要な干渉を防止することができる。
【００３６】
次に、図１に示す４つの電線係止部材１３Ａ〜Ｄによって複数の電線３を三又に分岐させる電線収束方法の一例を、以下に説明する。
【００３７】
図４に示すように、４つの電線係止部材１３Ａ，Ｂ，Ｃ，Ｄの各ピン１２が傾倒状態のときに、布線板１上の周知である電線掛け具３０に引っかけた複数の電線３を、４つの電線係止部材１３Ａ，Ｂ，Ｃ，Ｄの上方における前記布線平面形状に対応した布線経路となるように配索する。
【００３８】
複数の電線３の配索完了に応じて、布線治具１０の全てのピン部材１２の各々を傾倒状態から起立状態に切り替える。この切り替えに応じて、図１に示しように、一対の電線係止部材１３Ａ，Ｂの一対のピン部材１２によって複数の電線３が電線群３０として収束されて挟持されるとともに、一対の電線係止部材１３Ａ，Ｃの各ピン部材１２によって電線群３０の中の任意の電線３が電線群３０から分岐して分岐電線群３１として収束されて挟持され、かつ、一対の電線係止部材１３Ｃ，Ｄの各ピン部材１２によって電線群３０の中の任意の電線３が電線群３０から分岐して分岐電線群３２として収束されて挟持され、かつ、一対の電線係止部材１３Ｂ，Ｄの各ピン部材１２によって電線群３０の中の任意の電線３が電線群３０から分岐して分岐電線群３３１として収束されて挟持される。そして、布線板１から取り外す際は、布線治具１０の全て、若しくは、一部のピン部材１２を傾倒状態に切り替えて取り外される。
【００３９】
このように電線収束方法によれば、布線板１上に設けられた布線治具１０のピン部材１２が傾倒状態のときに、その布線治具１０の上方に複数の電線３が配索され、そして、ピン部材１２の各々が起立状態に切り替えられることで、複数のピン部材１２によって複数の電線３が収束位置に収束されて挟持されるため、電線３を布線治具１上に配索してピン部材１２を起立させるだけで、複数の電線３を収束位置に収束することができる。従って、複数の電線３を布線する際に治具に対する電線３の引っかけ作業が不要となるため、布
線作業を簡単化することができるとともに、複数の電線３を容易に収束することができる。また、電線３を治具に引っかけた状態での布線作業を減少させることができるため、布線作業の効率化を図ることができる。
【００４０】
また、起立状態に切り替えられたピン部材１２によって複数の電線３を分岐した状態で収束して挟持するため、傾倒状態の電線係止部材１３に対して布線経路となるように複数の電線３を配索して、ピン部材１２を起立状態に切り替えるだけで、複数の電線３に対する収束と分岐を同時に行うことができるため、布線作業のより一層の効率化を図ることができる。
【００４１】
さらに、起立状態で収束された複数の電線３を挟持している起立状態のピン部材１２の一部若しくは全てが傾倒状態に切り替えられることで、収束された複数の電線３を容易に取り外すことができるため、作業の効率化を図ることができる。
【００４２】
なお、上述した本最良の形態では、複数の電線３を布線治具１０によって挟持する場合について説明したが、本発明はこれに限定するものではなく、１本の電線３を布線する際に用いることもできる。
【００４３】
また、本最良の形態では、図３に示すように、周知である電線掛け具３０と本発明の布線治具１０との双方を布線板１上に設ける場合について説明したが、本発明の布線治具１０のみを布線板１上に複数設けて布線を行うようにしても差し支えない。
【００４４】
なお、上述した本最良の形態は、本発明の代表的な形態を示したに過ぎず、本発明はこれに限定されるものではなく、本発明の骨子を逸脱しない範囲で種々変形して実施することができる。
【図面の簡単な説明】
【００４５】
【図１】本発明の布線治具の構成例を示す拡大斜視図である。
【図２】図１に示す布線治具の動作を説明する説明図であり、（ａ）はピン部材の傾倒状態、（ｂ）ピン部材の起立状態をそれぞれ示している。
【図３】ピン部材の起立状態を説明するための断面拡大模式図である。
【図４】布線治具に複数の電線を配索した一例を説明するための説明図である。
【符号の説明】
【００４６】
１    布線板
３    電線
１０    布線治具
１１    支持部材
１２    ピン部材
１３Ａ〜Ｄ    電線係止部材
【図１】
0004839064.tif 000002
【図２】
0004839064.tif 000003
【図３】
0004839064.tif 000004
【図４】
0004839064.tif 000005